(57)【要約】移動通信システムが、複数の移動ユーザ・デバイス（１０、１２、１４）および回路網（３０）を含んでいる。各移動デバイスは、アンテナ（２０、２２）を利用した固有の双方向直接リンクを介してネットワークに無線接続されている。また、ネットワークは、複数の移動デバイスにより受信可能であるように意図された情報を、衛星（５４）を介した同報通信ダウンリンク上で同時に同報通信する。
2004518345.tif 000002
【特許請求の範囲】
【請求項１】
複数の移動通信デバイスと、
通信回路網と前記複数の移動通信デバイスのうちの選択された１つとの間で情報を通信するための直接リンクと、
前記複数の移動通信デバイスにより受信可能であるように意図された情報を前記通信回路網から同時に同報通信するための同報通信リンクとを含んでいる移動通信システム。
【請求項２】
前記直接リンクは、前記選択された移動通信デバイスとの間で情報を送受信するための、前記通信回路網に結合された複数の送受信アンテナを含んでいる、請求項１に記載のシステム。
【請求項３】
前記直接リンクは、電話回路網を含んでおり、前記複数の送受信アンテナは、携帯電話アンテナである、請求項２に記載のシステム。
【請求項４】
前記同報通信リンクは、前記複数の移動通信デバイスにより受信可能であるように意図された信号を比較的広い地域にわたって供給する同報通信伝送アンテナを含んでいる、請求項１に記載のシステム。
【請求項５】
前記同報通信リンクは、更にテレビジョン放送システムを含んでおり、前記同報通信伝送アンテナは、テレビジョン放送アンテナである、請求項４に記載のシステム。
【請求項６】
前記テレビジョン放送アンテナは、地上波テレビジョン放送アンテナである、請求項５に記載のシステム。
【請求項７】
前記同報通信リンクは、更に、
前記複数の移動通信デバイスにより受信されるように意図された情報を前記通信回路網から伝送するための、前記通信回路網に結合された衛星地上局伝送アンテナと、
直接テレビジョン衛星システム衛星とを含んでおり、前記直接テレビジョン衛星システム衛星は、前記衛星地上局から伝送された前記情報を受信するための受信アンテナと、前記複数の移動通信デバイスにより受信可能であるように意図された前記受信情報を比較的広い地域にわたって同報通信するためのテレビジョン放送伝送アンテナとを含んでいる、請求項５に記載のシステム。
【請求項８】
前記複数の移動通信デバイスはそれぞれ、直接リンク・アンテナおよび同報通信受信アンテナを含んでおり、
前記直接リンクは、前記選択された移動通信デバイスの前記直接リンク・アンテナとの間で情報を送受信するための、前記通信回路網に結合された送受信アンテナを含んでおり、
前記同報通信リンクは、前記移動通信デバイスの前記同報通信受信アンテナに情報を伝送するための、前記通信回路網に結合された同報通信伝送アンテナを含んでいる、請求項１に記載のシステム。
【請求項９】
前記通信回路網は、インターネットと、情報を記憶するための複数のコンピュータ・データ・サーバを含んでおり、
前記選択された移動通信デバイスは、情報を求める要求を前記直接リンクを介して前記コンピュータ・データ・サーバに供給するための回路を含んでおり、
前記コンピュータ・データ・サーバは、前記選択された移動通信デバイスからの前記要求に応答して、前記要求された情報を取り出し、前記取り出した情報を前記通信回路網に供給し、
前記取り出した情報が、前記複数の移動通信デバイスから同時に要求されると予想される場合は、前記通信回路網は、前記同報通信リンクを介して、前記情報を前記複数の移動通信デバイスに伝送し、前記直接リンクを介して、前記同報通信リンクが前記要求された情報を含むことを指定するデータを、前記選択された通信デバイスに伝送し、そうでない場合は、前記直接リンクを介して、前記要求された情報を前記選択された移動通信デバイスに伝送し、
前記選択された移動通信デバイスは、更に、前記直接リンクを介して受信した、前記同報通信リンクが、前記要求された情報を含むというデータに応答して、前記要求された情報を前記同報通信リンクから受信するための、また、そうでない場合は、前記直接リンクから前記情報を受信するための回路を含んでいる、請求項１に記載のシステム。
【請求項１０】
前記同報通信リンクは、複数のチャネルを含んでおり、前記要求されたデータは、前記複数のチャネルのうちの選択されたチャネル上で同報通信され、前記同報通信リンクが前記要求された情報を含むことを指定する前記データであって前記選択された移動通信デバイスに伝送される前記データは、更に、前記要求された情報を搬送する前記チャネルを表すデータを含んでおり、
前記移動通信デバイスは、前記チャネルを表すデータに応答して、前記要求された情報を前記選択されたチャネルから受信する、請求項９に記載のシステム。
【請求項１１】
通信回路網と複数の移動通信デバイスとの間で情報を通信する方法であって、
前記複数の移動通信デバイスのうちの選択された１つに向けられた情報を、前記選択された移動通信デバイスへの直接リンクを介して、前記通信回路網から前記選択された移動通信デバイスに供給するステップと、
前記複数の移動通信デバイスに向けられた情報を、前記複数のデバイスにより同時に受信できる同報通信リンクを介して、前記通信回路網から前記複数のデバイスに供給するステップとを含んでいる方法。
【請求項１２】
前記直接リンクを介して前記情報を供給するステップは、電話回路網を介して前記情報を供給するステップを含んでいる、請求項１１に記載の方法。
【請求項１３】
前記電話回路網を介して前記情報を供給するステップは、携帯電話回路網を介して前記情報を供給するステップを含んでいる、請求項１２に記載の方法。
【請求項１４】
前記同報通信リンクを介して情報を供給するステップは、テレビジョン放送システムを介して前記情報を供給するステップを含んでいる、請求項１１に記載の方法。
【請求項１５】
前記テレビジョン放送リンクを介して前記情報を供給するステップは、前記テレビジョン放送システム中の複数のチャネルのうちの選択されたチャネル上で前記情報を供給するステップを含んでいる、請求項１４に記載の方法。
【請求項１６】
前記選択された移動通信デバイスが、情報を求める要求を前記直接リンクを介して前記通信回路網に供給するステップと、
前記通信回路網が、前記供給された要求に応答して、前記要求された情報を取り出すステップと、
前記情報が前記複数の移動通信デバイスから同時に要求されると予想される場合は、前記要求された情報を前記同報通信リンクに供給し、そうでない場合は、前記要求された情報を前記直接リンクを介して前記選択された移動通信デバイスに供給するステップと、
前記情報が前記同報通信リンクに供給される場合は、前記要求された情報が前記同報通信リンクを介して供給されていることを指定すると共に前記選択されたチャネルを指定するデータを、前記直接リンクを介して前記選択された移動通信デバイスに供給するステップと、
前記選択された移動通信デバイスが、前記直接リンクを介して受信した前記指定データに応答して、前記同報通信リンク中の前記選択されたチャネルから、同報通信された前記要求された情報を受信するステップとを更に含んでいる、請求項１５に記載の方法。
【請求項１７】
前記テレビジョン放送システムを介して前記情報を供給するステップは、地上波テレビジョン放送システムを介して前記情報を供給するステップを含んでいる、請求項１４に記載の方法。
【請求項１８】
前記地上波テレビジョン放送システムを介して前記情報を供給するステップは、直接テレビジョン衛星システムを介して前記情報を供給するステップを含んでいる、請求項１４に記載の方法。
【請求項１９】
前記選択された移動通信デバイスが、情報を求める要求を前記直接リンクを介して前記通信回路網に供給するステップと、
前記通信回路網が、前記供給された要求に応答して、前記要求された情報を取り出すステップと、
前記情報が前記複数の移動通信デバイスから同時に要求されると予想される場合は、前記要求された情報を前記同報通信リンクに供給し、そうでない場合は、前記要求された情報を前記直接リンクに供給するステップとを更に含んでいる、請求項１１に記載の方法。
【請求項２０】
前記情報が前記同報通信リンクに供給される場合は、前記要求された情報が前記同報通信リンクを介して供給されていることを指定するデータを、前記直接リンクを介して前記選択された移動通信デバイスに供給するステップと、
前記選択された移動通信デバイスが、前記指定データに応答して、前記供給された情報を前記同報通信リンクから受信するステップとを更に含んでいる、請求項１９に記載の方法。
【請求項２１】
直接リンクを介して通信回路網と情報を通信するためのインターフェースと、
同報通信リンクを介して前記通信回路網から情報を受信するためのインターフェースとを含んでいる移動通信デバイス。
【請求項２２】
前記直接リンク・インターフェースは、携帯電話インターフェースを含んでいる、請求項２１に記載のデバイス。
【請求項２３】
前記携帯電話インターフェースは、携帯電話インターフェースを含んでいる、請求項２２に記載のデバイス。
【請求項２４】
前記同報通信インターフェースは、テレビジョン放送受信機インターフェースを含んでいる、請求項２１に記載のデバイス。
【請求項２５】
前記テレビジョン放送受信機インターフェースは、地上波テレビジョン放送受信機インターフェースを含んでいる、請求項２４に記載のデバイス。
【請求項２６】
前記テレビジョン放送受信機インターフェースは、直接テレビジョン衛星システム放送受信機インターフェースを含んでいる、請求項２４に記載のデバイス。
【請求項２７】
前記直接リンク・インターフェースと前記同報通信リンク・インターフェースとに結合されたコントローラであって、前に受信されたデータに応答して前記直接リンクと前記同報通信リンクのうちの一方から情報を受信するように前記移動通信デバイスを制御するためのコントローラを更に含んでいる、請求項２１に記載のデバイス。
【請求項２８】
前記コントローラに結合された、ユーザ入力を受け取るためのデバイスを更に含んでおり、
前記コントローラは、前記通信回路網に要求される情報を指定するユーザ入力に応答して、前記要求される情報を表すデータを前記直接リンクを介して前記通信回路網に供給する、請求項２７に記載のデバイス。
【請求項２９】
前記ユーザ入力受領デバイスは、キーパッドを含んでいる、請求項２８に記載のデバイス。
【請求項３０】
前記コントローラは、前記直接リンク・インターフェースを介して、前記要求された情報が、前記同報通信リンクを介して同報通信されていることを示すデータを受信し、前記同報通信リンクを介して、前記要求された情報を受信する、請求項２８に記載のデバイス。
【請求項３１】
前記要求された情報が前記同報通信リンクを介して同報通信されていることを示すデータを、前記コントローラが、前記直接リンク・インターフェースから受信した場合は、前記コントローラは、前記同報通信リンクを介して前記要求された情報を受信し、そうでない場合は、前記直接リンクを介して前記要求された情報を受信する、請求項２８に記載のデバイス。
【請求項３２】
前記同報通信リンクは、複数のチャネルを含んでおり、
前記要求された情報が前記同報通信リンク上の前記複数のチャネルのうちの選択された１つを介して同報通信されていることを示すデータを、前記コントローラが、前記直接リンク・インターフェースを介して受信した場合は、前記コントローラは、前記同報通信リンクの前記選択されたチャネルから前記要求された情報を受信し、そうでない場合は、前記直接リンクを介して前記要求された情報を受信する、請求項２８に記載のデバイス。
【請求項３３】
前記通信回路網から受信された要求された情報により表される画像を表示するための表示デバイスを更に含んでいる、請求項２１に記載のデバイス。
【請求項３４】
複数の移動通信デバイスと、通信回路網とを含んでいるシステムにおいて、前記複数の移動通信デバイスのうちの選択された１つを動作させる方法であって、
前記選択された移動通信デバイスに向けられた情報を、前記選択された移動通信デバイスへの直接リンクを介して前記通信回路網から受信するステップと、
前記選択された移動通信デバイスを含めた前記複数の移動通信デバイスに向けられた情報を、前記通信回路網から同報通信リンクを介して受信するステップとを含んでいる方法。
【請求項３５】
前記直接リンクを介して情報を受信するステップは、電話回路網を介して情報を受信するステップを含んでいる、請求項３４に記載の方法。
【請求項３６】
前記電話回路網を介して情報を受信するステップは、携帯電話回路網を介して情報を受信するステップを含んでいる、請求項３５に記載の方法。
【請求項３７】
前記同報通信リンクを介して情報を受信するステップは、テレビジョン放送回路網を介して情報を受信するステップを含んでいる、請求項３４に記載の方法。
【請求項３８】
前記テレビジョン放送回路網を介して情報を受信するステップは、地上波テレビジョン放送回路網を介して情報を受信するステップを含んでいる、請求項３７に記載の方法。
【請求項３９】
前記テレビジョン放送回路網を介して情報を受信するステップは、直接衛星テレビジョン放送回路網を介して情報を受信するステップを含んでいる、請求項３４に記載の方法。
【請求項４０】
要求される情報を表すデータを、前記選択された移動通信デバイスから前記通信回路網に伝送するステップと、
前記要求された情報を、前記直接リンクと前記同報通信リンクのうちの一方を介して、前記通信回路網から前記移動通信デバイスにより受信するステップとを更に含んでいる、請求項３４に記載の方法。
【請求項４１】
前記要求された情報を受信するステップは、
前記要求された情報が前記通信回路網から前記同報通信リンクを介して伝送されている場合は、前記要求された情報が前記通信回路網から前記同報通信リンクを介して伝送されていることを指定するデータを、前記通信回路網から前記直接リンクを介して受信し、前記受信したデータに応答して、前記要求された情報を前記通信回路網から前記同報通信リンクを介して受信するステップと、
そうでない場合は、前記要求された情報を前記通信回路網から前記直接リンクを介して受信するステップとを含んでいる、請求項４０に記載の方法。
【請求項４２】
前記同報通信リンクは複数のチャネルを含み、前記要求された情報を受信するステップは、更に、
前記要求された情報が前記同報通信リンクの前記複数のチャネルのうちの選択されたチャネル上で伝送されていることを指定するデータを、前記通信回路網から前記直接リンクを介して受信するステップと、
前記要求された情報が前記通信回路網から前記同報通信リンクを介して伝送されている場合に、前記同報通信リンクの前記選択されたチャネルを介して、前記要求された情報を前記通信回路網から受信するステップとを更に含んでいる、請求項４１に記載の方法。
【発明の詳細な説明】
【０００１】
（発明の分野）
本発明は、移動可能な携帯型（ｍｏｂｉｌｅ）双方向（ｔｗｏ−ｗａｙ）パーソナル通信システム、方法およびデバイスに関する。
【０００２】
（発明の背景）
パーソナル通信システム（ＰＣＳ：Ｐｅｒｓｏｎａｌ  Ｃｏｍｍｕｎｉｃａｔｉｏｎ  Ｓｙｓｔｅｍ）デバイスは、携帯電話またはセルラー（ＰＨＳ）電話システム・デバイスに基づいている。携帯またはセルラー電話デバイスは、現在、永続的に配置された複数の地上アンテナのうちの１つと通信するように構成される。地上アンテナは、電話システムに接続され、標準的な有線電話機と、他のそのような地上アンテナを介した他の携帯またはセルラー電話デバイスとの両方に接続される。従来の携帯電話デバイスは、アナログ・データ信号を介して通信していた。しかし、より新しい携帯電話デバイスは、ディジタル・データ信号を介して通信する。どちらの場合も、電話通信回路網と携帯電話機との間には直接リンク（ｄｉｒｅｃｔ  ｌｉｎｋ：直接接続）がある。
【０００３】
ディジタル携帯電話デバイスには、更に多くの機能が追加されつつある。例えば、ディジタル携帯電話デバイスは、インターネットなど、電話システムが相互接続されているディジタル・データ回路網との間でディジタル・データを送受信できるように強化されつつある。このようなデバイスは、パーソナル通信システム（ＰＣＳ）デバイスと呼ばれてきた。このように強化されたパーソナル通信システム（ＰＣＳ）デバイスは、インターネットからの情報、例えば、地図、旅行情報、特別なイベントに関する情報、および／またはユーザの現在位置に近い店やレストランを、要求（ｒｅｑｕｅｓｔ）、受信（ｒｅｃｅｉｖｅ）、および表示（ｄｉｓｐｌａｙ）することができる。時間の経過につれて更に多くの機能がディジタル・パーソナル通信システム（ＰＣＳ）デバイスに追加される可能性があるが、これらの機能は、オーディオおよび／またはビデオ・ファイルなどのマルチメディア・ファイルの受信および表示を可能にすることを必要とする場合がある。
【０００４】
このように強化された機能に伴う問題点の１つは、このように強化された機能に伴う多量のデータを、インターネットと相互接続されたディジタル・データ・サーバから直接リンクを介してパーソナル通信システム（ＰＣＳ）デバイスに伝送するのに必要な帯域幅（ｂａｎｄｗｉｄｔｈ）である。現在の携帯電話システムは、毎秒およそ数十キロビットの比較的低い帯域幅の信号技術を用いる。しかし、地図や画像などのグラフィカル情報の場合、妥当な応答時間を実現するためには比較的広い帯域幅が必要である。ビデオおよびオーディオ・ファイルの場合、妥当な応答時間のためには更に広い帯域幅が必要になる。言い換えれば、現在の携帯電話システムの比較的低い帯域幅を使用すると、このような多量のデータを転送するには、長い時間が必要になる。これらの時間は、性能を許容することができないぐらい長い場合がある。更に、周波数帯域リソース（ｒｅｓｏｕｒｃｅ：資源）は高価なので、これらの回路網上における帯域幅のコストも比較的高い。
【０００５】
現在のテレビジョン信号放送システムは、６ＭＨｚチャネルにつき約２０Ｍｂｐｓのデータ・スループット（ｄａｔａ  ｔｈｒｏｕｇｈｐｕｔ：データ処理能力）の、比較的広い帯域幅能力を提供する。米国における地上波ＶＨＦ／ＵＨＦ周波数帯は、ほぼ４００ＭＨｚの利用可能なチャネルを含んでいる。これらのチャネルは、地上波テレビジョン放送局のアンテナの近く（約７０マイル）で受信可能である。更に、現在のディジタル直接衛星テレビジョン放送システムも、ディジタル情報伝送に使用できるディジタル・チャネルを提供することができる。これらのチャネルからのディジタル・データは、ずっと広い領域、例えば、全米にわたって受信可能である。これらのチャネルは、未だ完全には使いつくされていない。従って、他の用途に利用可能な未使用のテレビジョン放送周波数帯域が、十分にある。
【０００６】
パーソナル通信システム（ＰＣＳ）デバイスのユーザから要求される一部のデータは、そのユーザに固有である。例えば、ユーザは、そのユーザだけが関心を持つ特定の情報を要求する。しかし、他のデータは、多数のユーザが同時に関心を持っている。例えば、現在の天気データ、株式市場の相場、テレビジョンまたはラジオの番組ガイド、電子新聞などである。更に、他のデータは、ある時期だけは広く同時に関心を持たれ、他の時は特定のユーザだけが関心を持っている。例えば、ラッシュ・アワー時の交通地図、特別なイベントに関係のある情報、特別なイベントが近い時期およびその地域における周辺のレストランおよびホテルや、税金申告時期の国税庁の税金申告書および税金情報などである。
【０００７】
携帯電話デバイスのための現在の帯域幅は、特有の情報が要求されたときに、そのような情報をパーソナル通信システム（ＰＣＳ）デバイスに供給するには十分である。しかし、同時に広く関心を持たれる情報（例えば、交通地図）を多数のパーソナル通信システム（ＰＣＳ）デバイスに同時に供給しようとすると、現在のパーソナル通信システム（ＰＣＳ）の利用可能な帯域幅すべてが急激に使い尽くされる可能性がある。固有の情報を単一の要求元パーソナル通信システム（ＰＣＳ）デバイスに供給することができ、且つ、携帯電話回路網の利用可能な帯域幅に負荷をかけ過ぎること無く、広く関心を持たれる情報を同時に多数の要求元パーソナル通信システム（ＰＣＳ）デバイスに供給することができるパーソナル通信システム（ＰＣＳ）が望ましい。
【０００８】
（発明の概要）
本発明者は、携帯電話システムの帯域幅制限を解決する方法の１つは、広く同時期に関心を持たれる情報を、すべての潜在的な要求元ユーザにより同時に受信可能な状態で、同報通信リンク（ｂｒｏａｄｃａｓｔ  ｌｉｎｋ：複数の受信者に送信すること。）を介して同報通信（ｂｒｏａｄｃａｓｔ）することであると気付いた。現在の地上波テレビジョン放送システムのＶＨＦ／ＵＨＦ周波数帯域で、および／または直接テレビジョン衛星システムで比較的広い帯域幅が利用可能であることを利用して、この同報通信リンクを同時に多数のパーソナル通信システム（ＰＣＳ）デバイスに供給することができる。
【０００９】
本発明の原理によれば、携帯通信システムが、複数の携帯通信デバイスを含んでいる。直接リンクが、通信回路網と、複数の携帯通信デバイスのうちの選択された１つとの間で、情報を通信する。同報通信リンクが、複数の携帯通信デバイスにより受信可能とされる情報を通信回路網から同時に同報通信する。
【００１０】
本発明による移動通信システムは、直接リンク・インターフェースを介して通信回路網と通信して所望の情報を要求するように構成されたパーソナル通信システム（ＰＣＳ）デバイスを含んでいる。要求された情報は、携帯電話地上局から直接リンクを介してパーソナル通信システム（ＰＣＳ）に伝送されるか、あるいは、要求された情報が現在同報通信されていることを示す指示（ｉｎｄｉｃａｔｉｏｎ）が、直接リンクを介して伝送される。要求された情報が現在同報通信されている場合は、直接リンクを介してパーソナル通信システム（ＰＣＳ）デバイスに伝送された情報は、同報通信リンク・インターフェースを介して要求する情報を受信するようにパーソナル通信システム（ＰＣＳ）デバイスを制御する。次いで、受信された情報は、パーソナル通信システム（ＰＣＳ）デバイスにより通常の方法で処理される。
【００１１】
（好ましい実施形態の詳細な説明）
図１は、本発明の原理による移動通信システムのブロック図である。図１で、移動送受信機１０は、送受信アンテナ２０と双方向通信の状態にある。アンテナ２０は、同時に他の移動送受信機、例えば、１４にも接続される。更に、アンテナ２２などの他の送受信アンテナも、通信回路網３０を介してアンテナ２０に接続される。他のアンテナ２２は、他の移動送受信機、例えば、１２に接続される。図１に示す実施例では、送受信機１０、１２、１４は、アンテナ２０、２２と協働し、且つ、現存の地上回線電話回路網（図示せず）を含んでいる回路網３０と協働して、周知の方法で相互運用してワイヤレス電話会話を受信および継続する。図１で、移動送受信機１０はパーソナル通信システム（ＰＣＳ）デバイスとして構成されており、以下にこの移動送受信機１０についてより詳細に述べる。
【００１２】
携帯電話システムにおける最近の進歩により、ディジタル携帯電話データの伝送が可能になった。このようにして、電話による会話はディジタル化され、ディジタル化された信号は、パーソナル通信システム（ＰＣＳ）デバイス１０とアンテナ２０との間で通信され、次に、他の携帯電話機１２、１４、および地上回線電話機（図示せず）と通信される。携帯電話システムにおける他の進歩は、こうして携帯電話機１０と通信される電話信号のディジタルな性質を利用するものである。従って、現在、携帯電話機１０をインターネットなどのディジタル・コンピュータ回路網と相互接続することが提案されている。この動作のために変更された携帯電話機は、スピーカ、マイクロホン、および電話番号を入力するためのキーパッドを備えるだけで無く、インターネットから受信したグラフィカル情報またはテキスト情報を表示するための表示デバイスも備えている。再び図１を参照すると、通信回路網３０は、インターネットなどのディジタル・コンピュータ回路網と考えることができ、複数のコンピュータ・データ・サーバ４２、４４、４６を含んでいる。サーバ４２、４４、４６は、回路網３０に接続された他のデバイスから受信されるデータ要求と周知の方法で対話する。即ち、情報を求める要求が、パーソナル通信システム（ＰＣＳ）デバイス１０からアンテナ２０を介して通信回路網３０により受信され、適切なデータ・サーバ４２、４４、４６が、要求された情報を回路網３０に供給する。回路網３０は、この情報をアンテナ２０に供給し、アンテナ２０は、この要求された情報をパーソナル通信システム（ＰＣＳ）１０に伝送する。アンテナ２０は、通信回路網３０とパーソナル通信システム（ＰＣＳ）デバイス１０との間の直接リンクを提供する。
【００１３】
前述のように、コンピュータ・データ・サーバ４２、４４、４６に要求される情報は、要求元のパーソナル通信システム（ＰＣＳ）デバイス１０が特有の関心を持つものである場合がある。しかし、他のタイプの情報は、ある時には、複数のパーソナル通信システム（ＰＣＳ）デバイス１０、１２、１４から同時に要求されるものと予想される。前述のように、回路網３０からアンテナ２０、２２を介してパーソナル通信システム（ＰＣＳ）デバイス１０、１２、１４までに至るデータ・スループットは、比較的限られている。複数のパーソナル通信システム（ＰＣＳ）１０、１２、１４から同時に要求された情報が、要求元の各パーソナル通信システム（ＰＣＳ）デバイス１０、１２、１４に個別に供給される場合、回路網３０のデータ・スループット限度に達してしまう。この結果、すべてのパーソナル通信システム（ＰＣＳ）端末で、そのデータを要求しているかどうかに関係なく、応答時間は許容できない程長くなる。
【００１４】
本発明の原理によれば、複数のパーソナル通信システム（ＰＣＳ）デバイス１０、１２、１４から同時に要求されると予想されるデータ、またはこのような複数の同時要求が予想される時間および位置（場所）におけるデータは、伝送アンテナ２０、２２を介して要求元パーソナル通信システム（ＰＣＳ）デバイス１０、１２、１４に伝送されることは無い。替わりに、このデータは、同報通信リンクを介してパーソナル通信システム（ＰＣＳ）デバイス１０、１２、１４に送信される。より具体的には、データは、通信回路網３０を介して地上局伝送アンテナ５２に送信される。地上局伝送アンテナ５２は、ディジタル直接テレビジョン衛星システム（ＤＳＳ：Ｄｉｇｉｔａｌ  Ｓａｔｅｌｌｉｔｅ  Ｓｙｓｔｅｍ）衛星５４のチャネルを介してこの情報を伝送する。ディジタル衛星システム（ＤＳＳ）衛星５４は、このデータを含むチャネルを、直接衛星テレビジョン信号の伝送と同じ方法で広域に同報通信する。地上局伝送アンテナ５２とディジタル衛星システム（ＤＳＳ）衛星５４の組合せは、パーソナル通信システム（ＰＣＳ）デバイス１０、１２、１４から広く同時に関心を持たれると予想されるデータのために、通信回路網３０とパーソナル通信システム（ＰＣＳ）デバイス１０、１２、１４との間に同報通信リンク５０を形成する。本発明の原理により動作するパーソナル通信システム（ＰＣＳ）デバイス１０は、同報通信リンク５０から同報通信信号を受信して、この信号により送られた情報を、アンテナ２０を介した直接リンク上で受信したかのように同じ方法で処理する。
【００１５】
図１に示す実施例では、通信回路網３０とパーソナル通信システム（ＰＣＳ）デバイスとの間の同報通信リンク５０は、ディジタル衛星システム（ＤＳＳ）５０である。ただし、地上波テレビジョン送信機を使用して、このような情報を同報通信することもできることは、当業者であれば理解することができる。任意の単一の地上波テレビジョン送信機からの情報は、この送信機の地域（ｇｅｏｇｒａｐｈｉｃａｌ  ａｒｅａ）内でのみ受信可能である。これは、その地域での特別なイベントに関係のある情報など、その領域だけで関心を持たれるデータには十分であろう。しかし、複数の地上波テレビジョン送信機をネットワーク化して同じデータを同時に伝送することにより、このようなデータをより広い地域にわたって得ることができるようになり、ディジタル衛星システム（ＤＳＳ）５０と同じ地理的受信可能な範囲を実現することができる。個別に行われた複数の同時要求を満たす情報を、コンピュータ・データ・サーバ４２、４４、４６から直接リンク（アンテナ２０）を介してパーソナル通信システム（ＰＣＳ）デバイス１０に伝送するためには、多量のデータ・スループットが必要であるが、このような伝送は、前述のようにして、どちらかの手段でこの情報を広域に同報通信することにより不要になる。現在の地上波テレビジョン放送システムおよび直接衛星システムは、このようなディジタル・データをデータ・サーバ４２、４４、４６からパーソナル通信システム（ＰＣＳ）デバイス１０、１２、１４に同報通信するのに使用できる未使用チャネルを含んでいる。
【００１６】
図２は、図１に示したシステムで使用することのできる携帯型移動通信（ＰＣＳ）デバイス１０のブロック図である。図２で、アンテナ１２２は、例えば、携帯電話アンテナ２０（図１）からのディジタル携帯電話信号に応答する。アンテナ１２２は、移動インターフェース回路１２０の端子に双方向に結合されている。移動インターフェース回路１２０の出力端子が、マイクロプロセッサ（μＰ）１１８の直接データ入力端子に結合されている。マイクロプロセッサ１１８の直接データ出力端子が、移動インターフェース１２０の入力端子に結合されている。マイクロプロセッサ１１８のスピーカ出力端子が、スピーカ１１４の入力端子に結合されている。マイクロホン１１２の出力端子が、マイクロプロセッサ１１８のマイクロホン入力端子に結合されている。キーパッド１１６の出力端子が、マイクロプロセッサ１１８の制御入力端子に結合されている。マイクロプロセッサ１１８は、マイクロプロセッサ１１８中のメモリ（例えば、図示していないＲＯＭ）に記憶されたアプリケーション・プログラム１３０の制御の下で、周知の方法で動作する。
【００１７】
前述のように、パーソナル通信システム（ＰＣＳ）デバイス１０は、周知の方法で動作して、ユーザが電話をかけられるようにする。ユーザは、キーパッド１１６上のキーを操作してマイクロプロセッサ１１８を制御し、マイクロプロセッサ１１８は、移動インターフェース回路１２０を回路網３０に接続し、所望の電話番号を指定するダイヤル・トーンを生成し、電話を完了するようにする。あるいは、誰かがパーソナル通信システム（ＰＣＳ）デバイス１０に電話しようとしていることを示す信号が、回路網３０から受信される。これらの信号に応答して、マイクロプロセッサ１１８は、回路網に接続して、電話を完了するように移動インターフェース回路１２０を制御する。どちらの場合も、マイクロホン１１２からの発話情報を表す信号は、マイクロプロセッサ１１８によりディジタル化され、ディジタル化された信号は、移動インターフェース１２０およびアンテナ１２２を介してアンテナ２０（図１）に伝送される。同時に、アンテナ１２２によりアンテナ２０から受信された、他の話者からの受信ディジタル化済み発話情報を表す信号は、移動インターフェース１２０により受け取られ、マイクロプロセッサ１１８により音声信号に変換され、スピーカ１１４に供給される。
【００１８】
前述のように、最近の進歩により、パーソナル通信システム（ＰＣＳ）デバイス１０は、例えば、インターネットからの情報を要求および受信する機能を備えている。要求される情報を表すデータは、ユーザがキーパッド１１６を使用することにより生成することができる（キーパッド１１６には、図示の数字キーよりも多くのキーがある場合もある）。情報要求は、マイクロプロセッサ１１８から移動インターフェース１２０に供給され、移動インターフェース１２０は、アンテナ１２２を介してアンテナ２０（図１）に情報を供給する。アンテナ２０は、回路網３０を介してコンピュータ・データ・サーバ４２、４４、４６に、この情報を伝送する。所望の情報を含むコンピュータ・データ・サーバ４２、４４、４６は、この情報を回路網３０上に送り、この情報は、アンテナ２０によりパーソナル通信システム（ＰＣＳ）デバイス１０に伝送される。パーソナル通信システム（ＰＣＳ）デバイス１０は、この情報を搬送する信号を、アンテナ１２２で受信する。移動インターフェース１２０は、要求された情報を抽出し、これをマイクロプロセッサ１１８に供給する。マイクロプロセッサ１１８は、受け取った情報を処理して、例えば、要求された情報を表す画像を表示デバイス１２４上に生成する。図示の実施例では、この情報は都市の交通機関システムの地図であり、この地図の画像が表示デバイス１２４上に表示されている。前述のように、コンピュータ・データ・サーバ４２、４４、４６から直接リンクを介してデータを受信するこの方法は、この情報が妥当な時間内で受信されるためには、最小限のデータ・スループットを必要とする。多くのパーソナル通信システム（ＰＣＳ）デバイス１０、１２、１４から同じ情報が同時に要求されれば、複数のアンテナ２０、２２を介した利用可能なデータ・スループットは、使い尽くされるであろう。
【００１９】
図２に示すパーソナル通信システム（ＰＣＳ）デバイス１０は、更に、同報通信インターフェース回路１２６に結合される受信アンテナ１２８も備えている。受信アンテナ１２８は、単一のユニット中でアンテナ１２２と結合してもよく、あるいは、単一のアンテナが共通で移動インターフェース１２０と同報通信インターフェース１２６とに信号を供給してもよいことは、当業者であれば理解できる。同報通信インターフェース１２６の同報通信データ出力端子が、マイクロプロセッサ１１８の同報通信データ入力端子に結合される。マイクロプロセッサ１１８のチャネル選択出力端子が、同報通信インターフェース１２６の制御入力端子に結合されている。
【００２０】
動作時を説明すると、衛星システム（図１）などの同報通信リンク５０を介して伝送される情報が、アンテナ１２８により受信され、同報通信インターフェース１２６により処理される。同報通信インターフェース１２６は、同報通信信号により搬送されたデータを受け取り、このデータをマイクロプロセッサ１１８に供給する。マイクロプロセッサ１１８は、要求された情報を抽出し、情報が移動インターフェース１２０から入来した場合に処理するのと同じ方法でこの情報を処理する。
【００２１】
より具体的には、図２に示す実施例で、ユーザは、キーパッド１１６を操作して、例えば、都市の交通機関地図を求める要求を指定する。この情報要求は、前述のように、直接リンク（移動インターフェース１２０、アンテナ１２２、アンテナ２０、および通信回路網３０）を使用してコンピュータ・データ・サーバ４２、４４、４６に伝送される。ただし、この場合、交通機関地図の情報は現在、同報通信リンク５０を介して同報通信されている。この状態は、この情報が広く同時に要求される傾向が常にある（ニュース）という予想に基づいた永続的な状態である場合もあり、あるいは、時間（ラッシュ・アワー）および／または位置（その都市の周辺）に基づいた選択的な状態である場合もある。後者の場合、この情報は、この都市の周辺の地上波テレビジョン伝送アンテナ（図示せず）から同報通信することができる。あるいは、この状態は適応的とすることもでき、その場合、多数の要求が同時に受信されたときは、要求数が減少するまで情報を同報通信すると決定される。
【００２２】
この情報が現在同報通信されていることを示すと共に、この要求された情報が同報通信されているチャネルを指定するためのデータが、コンピュータ・データ・サーバ４２、４４、４６のうちの適切な１つから通信回路網３０および直接リンク（アンテナ２０、アンテナ１２２、移動インターフェース１２０）を介してマイクロプロセッサ１１８に伝送される。この情報に応答して、マイクロプロセッサ１１８は、同調信号を同報通信インターフェース１２６に供給し、指定のチャネルに同調するように同報通信インターフェース１２６を制御する。同報通信インターフェース１２６は、指定の同報通信信号を受け取り、この信号により搬送された信号をマイクロプロセッサ１１８に供給する。マイクロプロセッサ１１８は、要求された情報を同報通信インターフェース１２６から抽出し、これを、移動インターフェース１２０を介して受け取ったかのように同じ方法で処理する。図２に示す実施例では、この情報により表される画像が表示デバイス１２４上に表示されている。
【００２３】
前述のように、アンテナ１２８および同報通信インターフェース１２６を追加し、マイクロプロセッサ１１８のアプリケーション・プログラム１３０に適切な変更を加えることにより、パーソナル通信システム（ＰＣＳ）デバイス１０は、要求する情報を直接リンク（伝送アンテナ２０）で、あるいは要求する情報が現在同報通信されている場合は、同報通信リンク５０で受信するように適合させることができる。情報が同報通信されている場合は、同報通信リンク５０の所望のチャネルに同調して要求する情報を受信するようにパーソナル通信システム（ＰＣＳ）デバイス１０を制御する情報が、直接リンクを介して送信される。このようにして、同報通信リンク５０を使用することにより、直接リンクにより必要とされるデータ・スループットが最小限に抑えられる。
【図面の簡単な説明】
【図１】
本発明の原理による移動通信システムを示すブロック図である。
【図２】
図１に示したシステムで使用することのできる、本発明によるパーソナル通信システム（ＰＣＳ）デバイスのブロック図である。
【図１】
2004518345.tif 000003
【図２】
2004518345.tif 000004
【国際公開パンフレット】
2004518345.tif 000005
2004518345.tif 000006
2004518345.tif 000007
2004518345.tif 000008
2004518345.tif 000009
2004518345.tif 000010
2004518345.tif 000011
2004518345.tif 000012
2004518345.tif 000013
2004518345.tif 000014
2004518345.tif 000015
2004518345.tif 000016
2004518345.tif 000017
2004518345.tif 000018
2004518345.tif 000019
2004518345.tif 000020
2004518345.tif 000021
2004518345.tif 000022
2004518345.tif 000023
2004518345.tif 000024
2004518345.tif 000025
2004518345.tif 000026
【国際調査報告】
2004518345.tif 000027